(57)【要約】 【課題】    現場にて枠付きコンクリートブロックを容易に作成しうる井桁枠を提供し、枠付きコンクリートブロックを作成しながら護床工法を施工する。【解決手段】  この護床工法は、以下の工程からなる。流水を堰き止めて流水下にある地盤を露出させる工程、露出した地盤上に通水性布帛を敷設する工程、通水性布帛上に角材１が井桁状に段をなして組まれており、井桁の各辺をなす上下段の角材１，１間に堰板２が嵌め込まれてなる井桁枠を設置する工程、井桁枠の中に生コンクリートを流し込んで硬化させて枠付きコンクリートブロックを作成する工程、及び、流水の堰き止めを解除して、枠付きコンクリートブロック生コンクリート面に流水を戻す工程からなる。また、井桁枠として、井桁枠の最下段に通水性布４が張設されてなる裏面布張り井桁枠を用いてよい。【選択図】  図１
2014173396.tif 000002
【特許請求の範囲】
【請求項１】
流水を堰き止めて流水下にある地盤を露出させる工程、
露出した地盤上に、通水性布帛を敷設する工程、
前記通水性布帛上に、角材が井桁状に段をなして組まれており、井桁の各辺をなす上下段の角材間に堰板が嵌め込まれてなる井桁枠を設置する工程、
前記井桁枠の中に生コンクリートを流し込んで硬化させて枠付きコンクリートブロックを作成する工程、及び、
流水の堰き止めを解除して、前記枠付きコンクリートブロック生コンクリート面に流水を戻す工程
からなることを特徴とする護床工法。
【請求項２】
堰板は、角材の長手方向側面の幅中央に設けられた溝に挿入することにより、嵌め込まれている請求項１記載の護床工法。
【請求項３】
角材が井桁状に段をなして組まれており、井桁の各辺をなす上下段の角材間に堰板が嵌め込まれてなる井桁枠であって、該井桁枠の最下段には通水性布が張設されてなる裏面布張り井桁枠。
【請求項４】
堰板は、角材の長手方向側面の幅中央に設けられた溝に挿入することにより、嵌め込まれている請求項３記載の裏面布張り井桁枠。
【請求項５】
流水を堰き止めて流水下にある地盤を露出させる工程、
露出した地盤上に、請求項３記載の裏面布張り井桁枠を設置する工程、
前記裏面布張り井桁枠の中に生コンクリートを流し込んで硬化させて枠付きコンクリートブロックを作成する工程、及び、
流水の堰き止めを解除して、前記枠付きコンクリートブロック生コンクリート面に流水を戻す工程
からなることを特徴とする護床工法。
【請求項６】
施工現場で、請求項３記載の裏面布張り井桁枠の中に生コンクリートを流し込んで硬化させて枠付きコンクリートブロックを作成した後、敷設地盤上に該枠付きコンクリートブロックを設置することを特徴とする護床工法。
【発明の詳細な説明】
【技術分野】
【０００１】
本発明は、海岸、河川又は湖沼等の流水下にある地盤の洗掘防止を目的として行われる護床工法に関するものである。
【背景技術】
【０００２】
海岸の地盤、河川の地盤（河床）、湖沼の地盤、河川や湖沼の岸の地盤等は、流水により洗掘されるため、従来より、各種の護床工法が実施されている。たとえば、特定形状のコンクリートブロックを流水下の地盤に設置することが行われている。また、特許文献１には、角材が井桁状に段をなして組まれてなる井桁枠の内壁に沿って布製袋を入れ、この布製袋の中に生コンクリートを流し込んで硬化させてなる枠付きコンクリートブロックを、流水下の地盤に設置することが提案されている。
【０００３】
この枠付きコンクリートブロックは、井桁の各辺をなす上下段の角材間が隙間となっており、この隙間から生コンクリートが布製袋と共に、外部に膨出して硬化することを特徴としている。そして、外部に膨出することによって、井桁枠とコンクリートとが一体化して外れにくいというものである。このように外部に膨出させる点を特徴としているため、その膨出の程度が調整しにくく、隙間間から生コンクリートが布製袋と共に膨出せず、コンクリートブロックが井桁枠から外れやすいということがあった。また、膨出しすぎて、井桁枠からコンクリートブロックがはみ出してしまうという恐れもあった。
【０００４】
【特許文献１】特許第４８４４７８７号公報
【発明の開示】
【発明が解決しようとする課題】
【０００５】
本発明の課題は、現場にて枠付きコンクリートブロックを容易に作成しうる井桁枠を提供し、枠付きコンクリートブロックを作成しながら護床工法を施工しうるようにすることにある。
【課題を解決するための手段】
【０００６】
本発明では、角材が井桁状に段をなして組まれており、井桁の各辺をなす上下段の角材間に堰板が嵌め込まれてなる井桁枠を用いて、上記課題を解決したものである。すなわち、本発明は、流水を堰き止めて流水下にある地盤を露出させる工程、露出した地盤上に、通水性布帛を敷設する工程、前記通水性布帛上に、角材が井桁状に段をなして組まれており、井桁の各辺をなす上下段の角材間に堰板が嵌め込まれてなる井桁枠を設置する工程、前記井桁枠の中に生コンクリートを流し込んで硬化させて枠付きコンクリートブロックを作成する工程、及び、流水の堰き止めを解除して、前記枠付きコンクリートブロック生コンクリート面に流水を戻す工程からなることを特徴とする護床工法に関するものである。
【０００７】
また、本発明では、角材が井桁状に段をなして組まれており、井桁の各辺をなす上下段の角材間に堰板が嵌め込まれてなる井桁枠であって、この井桁枠の最下段には通水性布が張設されてなる裏面布張り井桁枠を用いて、上記課題を解決したものである。すなわち、本発明は、流水を堰き止めて流水下にある地盤を露出させる工程、露出した地盤上に、前記した裏面布張り井桁枠を設置する工程、前記裏面布張り井桁枠の中に生コンクリートを流し込んで硬化させて枠付きコンクリートブロックを作成する工程、及び、流水の堰き止めを解除して、前記枠付きコンクリートブロック生コンクリート面に流水を戻す工程からなることを特徴とする護床工法に関するものである。なお、この裏面布張り井桁枠を用いた場合、コンクリートブロックを敷設する地盤上ではなく、当該地盤近傍で枠付きコンクリートブロックを作成することもできる。
【発明の効果】
【０００８】
本発明は、井桁の各辺をなす上下段の角材間に堰板が嵌め込まれてなる井桁枠を用いているので、井桁枠の中に生コンクリートを流し込んでも、上下段の角材間に隙間がなく生コンクリートが外部に膨出することはない。また、井桁枠を設置する前に通水性布帛を地盤上に敷設しているので、井桁枠の下部に生コンクリートが流れ出すこともない。したがって、敷設地盤上で枠付きコンクリートブロックを容易に作成することができ、重量物であるコンクリートブロックを運搬することなく、護床工法を施工することができるという効果を奏する。また、地盤上に敷設した通水性布帛は、水は透過させるけれども土砂は透過しにくいものであるから、枠付きコンクリートブロック下の地盤の洗掘をより防止しうるという効果も奏する。
【０００９】
また、井桁枠の最下段に通水性布を張設した裏面布張り井桁枠を用いた場合は、この通水性布が地盤上に存在するため、地盤上に通水性布帛を敷設する工程を省略することが可能となる。すなわち、地盤上に通水性布帛を敷設する工程を省略しながら、前記した効果と同様の効果を奏しうるのである。
【図面の簡単な説明】
【００１０】
【図１】本発明で用いる井桁枠の一例を示した斜視図である。
【図２】本発明で用いる裏面布張り井桁枠の一例を示した斜視図である。
【発明を実施するための形態】
【００１１】
本発明で用いる井桁枠は、たとえば図１に示すようなものが挙げられる。この井桁枠は、角材１が段をなして井桁状となるように組まれている。図１に示した井桁枠は五段に組まれてなるものである。井桁の各辺をなす上下段の角材１間には、堰板２が嵌め込まれている。堰板２を角材１間に嵌め込むには、角材１の長手方向側面の幅中央に溝を切り、この溝に堰板２を挿入すればよい。堰板２は、角材１間だけでなく、最下段の角材１の下面に嵌め込まれていてもよいし、最上段の角材１の上面に嵌め込まれていてもよい。本発明では、井桁の各辺において角材１間に堰板２が嵌め込まれているので、運搬中にガタツキが生じにくい。すなわち、井桁枠に外力が負荷されても、井桁が変形することなく、その形状を維持しうる。なお、孔３は、井桁枠の上下段を固定するためのボルト挿通用の孔である。
【００１２】
図１に示した井桁枠を用いて、以下のような手順で護床工法が施工される。護床工法の例として、河床の床固め工法をする場合、まず、河川の流水を堰き止めて、床固めをする地盤を露出させる。そして、この地盤に、通水性布帛を敷設する。通水性布帛としては、編織物や不織布が用いられる。特に、厚手の不織布は、水を平面方向に透過させ土砂を透過させないので、好適に用いられる。この通水性布帛の上に井桁枠を設置する。井桁枠の設置方法は、一般的に、井桁枠は縦横に配列して設置され、井桁枠同士を連結させる。この方が、井桁枠が移動したり転覆しにくいからである。そして、各井桁枠の中に生コンクリートを流し込む。本発明にかかる井桁枠は、井桁の各辺をなす上下段の角材１間に堰板２が嵌め込まれているので、生コンクリートが角材１間から外部に膨出することはない。また、堰板２が角材１間の幅中央に嵌め込まれている場合には、角材１間及び堰板２の箇所において、生コンクリートがコの字形となり、井桁枠と生コンクリートとがより一体化する。さらに、井桁枠の下部には通水性布帛が存在しているので、生コンクリートが通水性布帛を透過して流れ出すこともない。生コンクリートを流し込んだ後、生コンクリートを硬化・養生させれば枠付きコンクリートブロックを作成しうる。枠付きコンクリートブロックの作成後に、堰き止めを解除して、流水を枠付きコンクリートブロック面に戻せば、護床工法の施工が完了する。
【００１３】
また、本発明では、図２に示すような裏面布張り井桁枠を用いることもできる。この裏面布張り井桁枠も、図１に示した井桁枠と同様に、角材１が段をなして井桁状となるように組まれている。そして、井桁の各辺をなす上下段の角材１間には、堰板２が嵌め込まれている。これに加えて、井桁枠の最下段には通水性布が張設されて、裏面布張り井桁枠となっている。通水性布としては、編織物や不織布が用いられる。この通水性布も、厚手の不織布を採用するのが好ましい。上記したように、厚手の不織布は、水を平面方向に透過させるが、土砂を透過させないからである。
【００１４】
図２に示した裏面布張り井桁枠を用いた場合、以下のような手順で護床工法が施工される。図１に示した井桁枠と同様に、河川の流水を堰き止めて、床固めをする地盤を露出させる。そして、この後、裏面布張り井桁枠を地盤上に設置する。設置方法は、図１に示した井桁枠の場合と同様である。なお、裏面布張り井桁枠を用いた場合、地盤上に通水性布帛を敷設する必要性は少ないが、図１に示した井桁枠と同様に、通水性布帛を敷設しても差し支えない。裏面布張り井桁枠を設置した後は、図１に示した井桁枠と同様の工程で枠付きコンクリートブロックを作成して、護床工法の施工が完了する。
【００１５】
図２に示した裏面布張り井桁枠を用いた場合、床固めをする地盤上で枠付きコンクリートブロックを作成しなくても差し支えない。たとえば、床固めをする河川の近傍で、裏面布張り井桁枠に生コンクリートを流し込んで、枠付きコンクリートブロックを作成する。そして、床固めする河川に、この枠付きコンクリートブロックを運んで、床固め工法を施工してもよい。
【符号の説明】
【００１６】
１    角材
２    堰板
３    孔
４    通水性布
【図１】
2014173396.tif 000003
【図２】
2014173396.tif 000004